(57)【要約】【課題】  十分なワイパの払拭領域を確保しつつ、不使用時のワイパをドライバの視界から外れた場所に格納でき、なおかつ見栄えもよい車両のフロントウインド構造を提供すること。【解決手段】  フロントウインドガラス７の車幅方向端部は、ルーフレール３前端部の車幅方向内側よりも外側に設定されている。ワイパ１０は、フロントウインドガラス７上で揺動し、その不使用時にはカウル部４に沿って格納される。カバー部材１４が、フロントピラー２の車幅方向内側に沿ってフロントウインドガラス７の前方に取り付けられる。カバー部材１４は、フロントウインドガラス７の少なくとも下方部における、ルーフレール３前端部の車幅方向内側よりも外側の部分を覆う。このカバー部材１４は、ワイパ１０の格納位置近傍における払拭領域の外周部分を覆うと共に、フロントウインドガラス７表面との間にワイパ先端部を収容可能な隙間を形成する。【選択図】  図１
2009113629.tif 000002
【特許請求の範囲】
【請求項１】
車体の左右一対のルーフレール前端部と下方のカウル部左右端部との間にそれぞれ延設されるフロントピラーと、
両フロントピラー間に跨って配設され、車幅方向端部が前記ルーフレール前端部の車幅方向内側よりも外側に設定されたフロントウインドガラスと、
前記カウル部において基端部が回動自在に軸支されて前記フロントウインドガラス上を摺動し、不使用時には前記カウル部に沿って格納されるワイパと、
前記フロントピラーの車幅方向内側に沿って前記フロントウインドガラスの前方に取り付けられ、前記フロントウインドガラスの少なくとも下方部における、前記ルーフレール前端部の車幅方向内側よりも外側の部分を覆うカバー部材と、
を備え、
前記カバー部材は、前記ワイパの格納位置近傍における払拭領域の外周部分を覆うと共に、前記フロントウインドガラス表面との間に前記ワイパの先端部を収容可能な隙間を形成することを特徴とする車両のフロントウインド構造。
【請求項２】
前記カバー部材は、その車幅方向内側の辺が前記ルーフレール前端部の車幅方向内側からカウル部まで前記フロントピラーに沿って延びる略直線形状であることを特徴とする請求項１に記載の車両のフロントウインド構造。
【請求項３】
前記ワイパは、同一方向に揺動する左右一対のワイパのうちの外周側ワイパであることを特徴とする請求項１又は２に記載の車両のフロントウインド構造。
【請求項４】
前記外周側ワイパの払拭領域は、前記フロントウインドガラス中央上部に設けられる車外環境認識手段に対応する部分の領域を含むことを特徴とする請求項３に記載の車両のフロントウインド構造。
【請求項５】
前記カバー部材の上部は、前記フロントウインドガラス表面から盛り上がる盛り上がり部を形成することを特徴とする請求項１乃至４のいずれか１項に記載の車両のフロントウインド構造。
【発明の詳細な説明】
【技術分野】
【０００１】
本発明は、車両のフロントウインド構造に関する。
【背景技術】
【０００２】
自動車のフロントウインドには、フロントウインドガラスに付着した雨滴、雪、油脂等を払拭して車室側からの前方視界を確保するためのワイパが設けられる。
【０００３】
ワイパには、払拭パターンに依存してさまざまな構造のものが存在する。例えば実開平５−８９１２０号公報（特許文献１）は、左右のワイパがそれぞれ左右フロントピラーに沿って起立した状態から内側に傾倒する払拭パターンをもち、不使用時はワイパブレードをフロントピラーに沿って設けられたレインガターの溝に格納するようにした構造を開示している。
【０００４】
この構造においては、車幅方向中央部で左右ワイパの払拭領域の重複部分が大きくドライバにとって目障りになりやすいという欠点がある。また、フロントピラーに設けられるレインガターの溝によって風切り音が発生するという欠点もある。
【０００５】
そこで、とりわけ乗用車などで最も広く用いられているのは、２本のワイパブレードを同じ方向に同期して動かすようにした構造である。この構造においては、ワイパアームの基端部がフロントウインドガラス下部のカウル部において回動自在に軸支され、不使用時にはワイパアーム及びその先端に取り付けたワイパブレードを横方向に寝かせた状態でカウル部に沿って格納するのが一般的である。
【０００６】
ところで、従来、自動車のルーフレールとルーフパネルとの境界に設けられたウェザーストリップ（いわゆるモヒカン部）が形成する車両前後方向のラインに対して、フロントピラー内側の外観ラインが車幅方向外側に設定されたデザインが採用されることがある。これは、フロントウインドの面積を少しでも大きく確保しようとしたものである。
【０００７】
これに対し、近年の車両デザインの傾向として、より流麗かつ力強いデザインとするべく、モヒカン部が形成するラインとフロントピラー内側の外観ラインとのずれをなくすようにすることが多くなっている。これを実現するには、上記従来デザインに対して、フロントピラーを車幅方向内側に拡幅してフロントピラー内側のラインをモヒカン部のラインに揃えることが考えられる。
【０００８】
しかし、こうしてフロントピラーを車幅方向内側に拡幅することにすると、不使用時のワイパを横方向に寝かせた状態でカウル部に沿って格納する構造の場合、当然のことながら、そのままではフロントピラーとワイパの先端とが干渉してしまうので、この問題を解決する必要が出てくる。
【０００９】
ここで、単純にワイパアーム又はワイパブレードを短くしてフロントピラー内側の外観ラインとワイパの先端との余裕隙間を確保した場合には、ワイパの回転半径が短くなり、フロントウインドの払拭可能領域が狭くなってしまう。とりわけ近年の乗用車では、空力性能の追求のためにフロントウインドの傾斜角を強くした（すなわちフロントウインドをより水平に近く寝かせた）ものが多くなっている。フロントウインドの傾斜角度が強くなるほどフロントウインドの前後方向の長さが長くなり面積が大きくなるから、単純にワイパアームやワイパブレードを短くしたのではフロントウインド上部を払拭することができなくなる。フロントウインド上部は一般にはルームミラーの取り付け位置に対応し、そこには雨滴センサやＣＣＤカメラ等が取り付けられる可能性があり、ワイパによる払拭の必要性は高い。したがって、単純にワイパアームやワイパブレードを短くしてフロントウインドの払拭可能領域を狭くするような設計は許容できない。
【００１０】
そこで、現状では次善策として、不使用時にワイパを真横方向に寝かせるのではなく、若干の角度だけ起立させた状態とすることにより、ワイパアーム又はワイパブレードを短くすることなくフロントピラー内側の外観ラインとワイパの先端と間の余裕隙間を確保していた。
【００１１】
【特許文献１】実開平５−８９１２０号公報
【発明の開示】
【発明が解決しようとする課題】
【００１２】
しかし、上記のように、不使用時のワイパを若干の角度だけ起立させた状態とする場合には、そのワイパがドライバの視界に入ってしまい目障りである。また、ワイパがカウル部に格納されず斜めに出ている状態は見栄えもよくない。
【００１３】
したがって、本発明は、十分なワイパの払拭領域を確保しつつ、不使用時のワイパをドライバの視界から外れた場所に格納でき、なおかつ見栄えもよい車両のフロントウインド構造を提供することを目的とする。
【課題を解決するための手段】
【００１４】
本発明の一側面によれば、車体の左右一対のルーフレール前端部と下方のカウル部左右端部との間にそれぞれ延設されるフロントピラーと、両フロントピラー間に跨って配設され、車幅方向端部が前記ルーフレール前端部の車幅方向内側よりも外側に設定されたフロントウインドガラスと、前記カウル部において基端部が回動自在に軸支されて前記フロントウインドガラス上で揺動し、不使用時には前記カウル部に沿って格納されるワイパと、前記フロントピラーの車幅方向内側に沿って前記フロントウインドガラスの前方に取り付けられ、前記フロントウインドガラスの少なくとも下方部における、前記ルーフレール前端部の車幅方向内側よりも外側の部分を覆うカバー部材とを備え、前記カバー部材は、前記ワイパの格納位置近傍における払拭領域の外周部分を覆うと共に、前記フロントウインドガラス表面との間に前記ワイパの先端部を収容可能な隙間を形成することを特徴とする車両のフロントウインド構造が提供される。
【００１５】
この構成によれば、ワイパの払拭領域を狭めずにピラーを太く力強い外観とし、見栄えが向上するだけでなく、ワイパ不使用時の前方視界を向上させることができる。
【００１６】
本発明の好適な実施形態によれば、前記カバー部材は、その車幅方向内側の辺が前記ルーフレール前端部の車幅方向内側からカウル部まで前記フロントピラーに沿って延びる略直線形状であることが好ましい。
【００１７】
この構成によれば、フロントピラーからルーフレールに亘って流れるようなデザインを演出できる。また、フロントピラーとフロントウインドガラスとの接合面に一般的に介在するセラミック部を細く見せ、あるいは全く見えなくし、精密な感じを出すことができる。
【００１８】
本発明の好適な実施形態によれば、前記ワイパは、同一方向に揺動する左右一対のワイパのうちの外周側ワイパであることが好ましい。
【００１９】
この構成によれば、左右ワイパの払拭領域の重複面積を小さくすることができ、ワイパをコンパクト化することができる。
【００２０】
本発明の好適な実施形態によれば、前記外周側ワイパの払拭領域は、前記フロントウインドガラス中央上部に設けられる車外環境認識手段に対応する部分の領域を含むことが好ましい。
【００２１】
この構成によれば、見栄えがよく、車外環境認識手段に対応するガラス面の汚れを落とすことができる。
【００２２】
本発明の好適な実施形態によれば、前記カバー部材の上部は、前記フロントウインドガラス表面から盛り上がる盛り上がり部を形成することが好ましい。
【００２３】
この構成によれば、フロントウインドガラスからサイドウインドガラスに回り込む流水対策と、空力、風切り音等の対策や見栄えとを両立することができる。
【発明の効果】
【００２４】
本発明によれば、十分なワイパの払拭領域を確保しつつ、不使用時のワイパをドライバの視界から外れた場所に格納でき、なおかつ見栄えもよい車両のフロントインドウ構造を提供することができる。
【発明を実施するための最良の形態】
【００２５】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らない。
【００２６】
図１は、本実施形態における車両１のフロントウインド構造を示す、車両前方から見た正面視図、図２は、本実施形態におけるカバー部材の一例を示す図、図３は、図２のＡ−Ａ断面図、図４は、図２のＢ−Ｂ断面図である。
【００２７】
２，２は、車体両側部において後傾状態で上方に延びるフロントピラーである。具体的には、フロントピラー２，２は、車体の左右一対のルーフレール３，３の前端部と下方において車幅方向に延在するカウル部４の左右端部との間に延設されている。
【００２８】
７はフロントウインドガラスで、フロントピラー２−２間に跨って配設されている。図３、４に示されるように、フロントウインドガラス７の車幅方向端部にはウインドモール８が取り付けられ、そしてフロントウインドガラス７の車両後方側面と、フロントピラー２によって車幅方向内側に形成されるフランジ部２ａの車両前方側面とが接合される。ここで、フロントウインドガラス７側の接合面には、フランジ部２ａや接着剤が露見しないように黒色プリントされたセラミック部９が貼付されている。
【００２９】
ルーフパネル５とルーフレール３との境界にはウェザーストリップとしてのモヒカン部６，６が形成されており、フロントピラー２，２の内側の外観ラインは、このモヒカン部６，６外側のラインに対して、車幅方向外側に設定されている。換言すると、フロントウインドガラス２の車幅方向端部がルーフレール３前端部の車幅方向内側（すなわちモヒカン部６の車幅方向外側）よりも外側に設定されている。
【００３０】
また、フロントウインドガラス７の下部のカウル部４には、一対のワイパ１０，１０が取り付けられている。ワイパ１０はワイパアーム１１を備え、ワイパアーム１１の基端部は、カウル部４内に設けられたワイパモータ（不図示）のワイパ回動軸１２に回動自在に軸支される一方、ワイパアーム１１の先端部は、ワイパブレード１３を揺動自在に支持している。ワイパアーム１１がワイパ回動軸１２を支点に回動することにより、ワイパブレード１３はフロントウインドガラス７上を摺動し、フロントウインドガラス７上に付着した雨滴、雪、油脂等を払拭することができる。また、その不使用時には、ワイパアーム１及びワイパブレード１３を横方向に寝かせた状態でカウル部４に沿って格納される。
【００３１】
さてここで、より流麗かつ力強いデザインとするべく、フロントウインドガラス７の車幅方向端部の外観ラインを、ルーフレール３とモヒカン部６との境界ラインに揃えることを考える。最も簡便な手法は、上述したとおり、フロントピラー２を車幅方向内側に拡幅することである。しかしながら、フロントピラー２を車幅方向内側に拡幅すると、ワイパブレード１３の先端がフロントピラー２に干渉してしまう。そのため、従来は、不使用時にワイパを真横方向に寝かせるのではなく、図１の１０’に示すように、若干の角度だけ起立させた状態とすることで対応していた。
【００３２】
しかし、このような図１のドライバの目線Ｌで示されるように、起立したワイパ１０’はドライバの視界に入り目障りなものとなってしまう。また、ワイパ１０’がカウル部４に格納されず斜めに出ている状態は見栄えもよくない。
【００３３】
そこで、本実施形態では、フロントピラー２を車幅方向内側に拡幅するかわりに、フロントウインドガラス７におけるルーフレール３前端部の車幅方向内側よりも外側の部分を覆うカバー部材であるガーニッシュ１４を、フロントピラー２の車幅方向内側に沿ってフロントウインドガラス２の前方に取り付ける。このとき、ガーニッシュ１４は少なくとも、ワイパ１０の格納位置近傍における払拭領域の外周部分を覆うものとする。更に、ガーニッシュ１４は、その払拭軌跡の外周部分に対応して、フロントウインドガラス７表面との間にワイパブレード１３の先端部を収容可能な隙間１４ａを形成する。図３に示すように、ワイパ１０の不使用時には、ワイパブレード１３の先端部が隙間１４ａ内に収容される。なお、図示のように、隙間１４ａの開口部付近に、ゴミや水沫等の浸入を防止するためのブラシ１５を設けてもよい。
【００３４】
この隙間１４ａの存在は、不使用時にワイパ１０を真横方向に寝かせた状態でカウル部４に沿って格納することを可能にする。これにより、不使用時のワイパ１０はドライバの視界から外すことができ、加えて、不使用時のワイパ１０の見栄えをよくすることもできる。また、図１に示すように、単純にワイパブレードを短くしてフロントピラー２内側の外観ラインとワイパの先端との余裕隙間を確保させた従来のワイパによる払拭領域は、破線で示されるＳ’であるのに対して、実線Ｓで示されるように、本実施形態のワイパ１０によればより上部まで拭き取ることができるようになる。したがって、ルームミラー２０又はその近傍に取り付けられる車外環境認識手段としての雨滴センサ２１やステレオカメラ２２に対応するフロントウインドガラス７中央上部を払拭領域に含めることが可能になる。すなわち、雨滴センサ２１やステレオカメラ２２に対応するフロントウインドガラス７面の汚れをワイパ１０で落とすことが可能となる。
【００３５】
なお、上記したガーニッシュ１４の効果はとりわけ、同一方向に揺動する左右一対のワイパのうちの外周側ワイパで発揮される。これにより左右ワイパの払拭領域の重複面積を小さくすることができ、ワイパをコンパクト化することができる。
【００３６】
図２に示したガーニッシュ１４は、ルーフレール３前端部の車幅方向内側からカウル部４までフロントピラー２に沿って延在し、その車幅方向内側の辺を略直線形状としたものである。例えばこのガーニッシュ１４をフロントピラー２と同色とすれば、あたかもフロントピラー２が車幅方向に拡幅したかのように見え、フロントピラー２からルーフレール３に亘って流れるようなデザインを演出できる。また、このようなガーニッシュ１４は、従来露見していたセラミック部９の少なくとも一部を隠蔽することができる。これにより、セラミック部９を細く見せるか、あるいは全く見えなくなるので、精密な感じを出すことができる。
【００３７】
なお、隙間１４ａは、ワイパ１０の格納位置近傍における払拭領域で揺動するワイパブレード１３の先端部を収容可能であればよく、ガーニッシュ１４の上部にまで形成される必要はない。そのため、ガーニッシュ１４の上部は、図４に示すように、フロントウインドガラス７表面から盛り上がる盛り上がり部を形成する。その盛り上がり部は、図４に示すような切り立った縦壁部１４ｂによって実現されてもよいし、ガーニッシュ１４の車幅方向における形状を滑らかに盛り上がる形状としてもよい。
【００３８】
このように、隙間１４ａを形成する必要のない部分では盛り上がり部を形成することにより、フロントウインドガラス７からサイドウインドガラス１６に回り込む流水を阻止できる。また、空力性能の悪化を防止でき、風切り音等の発生も抑制できる。更には、見栄えをよくすることにも繋がる。
【００３９】
なお、フロントウインドガラス７の車幅方向端部の外観ラインを、ルーフレール３とモヒカン部６との境界ラインに揃えることを考えない場合には、図５に示すように、ガーニッシュ１４を、隙間１４ａを形成する部分だけの小型のものにしてもよい。この構成によれば、フロントピラー２とカウル部４のラインを滑らかに繋ぐデザインを提供することができる。
【図面の簡単な説明】
【００４０】
【図１】本実施形態における車両のフロントウインド構造を示す、車両前方から見た正面視図である。
【図２】本実施形態におけるカバー部材の一例を示す図である。
【図３】図２のＡ−Ａ断面図である。
【図４】図２のＢ−Ｂ断面図である。
【図５】本実施形態におけるカバー部材の変形例を示す図である。
【符号の説明】
【００４１】
１  車両
２  フロントピラー
３  ルーフレール
４  カウル部
５  ルーフパネル
６  モヒカン部（ウェザーストリップ）
７  フロントウインドガラス
８  ウインドモール
９  セラミック部
１０  ワイパ
１１  ワイパアーム
１２  ワイパ回動軸
１３  ワイパブレード
１４  ガーニッシュ（カバー部材）
１５  ブラシ
１６  サイドウインドガラス１６
【図１】
2009113629.tif 000003
【図２】
2009113629.tif 000004
【図３】
2009113629.tif 000005
【図４】
2009113629.tif 000006
【図５】
2009113629.tif 000007